(57)【要約】  【課題】ロータリエンコーダを回転操作しているエンコーダジョグを傾倒させると、ロータリエンコーダの回転位置に関わりなく、何時でも周辺スイッチを操作できるようにする。  【解決手段】多方向スイッチとロータリエンコーダとが一体化されてなる複合操作型スイッチであって、ベース２と、フレキシブルプリント配線板３と、中央スイッチ，周辺スイッチ及びエンコーダスイッチと、ハウジング４と、ロータリエンコーダ５と、キートップ６と、エンコーダジョグ７とよりなり、ロータリエンコーダ５の回転位置に関わりなく、エンコーダジョグ７を傾倒させると、傾倒側の周辺スイッチを操作できるようにした。【選択図】図２
2007066635.tif 000002
【特許請求の範囲】
【請求項１】
多方向スイッチとロータリエンコーダとが一体化されてなる複合操作型スイッチであって、
中央固定接点と、該中央固定接点を囲む円周上に配置された複数の周辺固定接点と、円周に沿って環状に配列された複数のエンコーダ用固定接点とを有するプリント配線板と、
前記中央固定接点と共に中央スイッチを形成する中央可動接点と、
前記周辺固定接点と共に周辺スイッチを形成する周辺可動接点と、
環状に形成され、その上面内周縁に突出形成された環状軸部と、該環状軸部の外側に環状に配列され、前記周辺可動接点を周辺固定接点に向かって押下可能な複数の周辺スイッチ押下部とを設けてなるハウジングと、
前記環状軸部の内周に回転可能に配設され、エンコーダ用固定接点と共にエンコーダスイッチを形成する摺動接点を有する環状のロータリエンコーダと、
前記環状軸部内に配置され、下面に中央可動接点に対向した周辺押圧突起が設けられているキートップと、
前記環状軸部の外側で周辺スイッチ押下部にそれぞれ対向配置された環状部を有し、ロータリエンコーダと一体回転可能に連結され、かつ、前記ハウジング上に対向配置されたエンコーダジョグとよりなり、
該エンコーダジョグを傾倒させると、傾倒側の周辺スイッチ押下部を押下し、該押下部と対応する周辺スイッチを操作できるようにしたことを特徴とする複合操作型スイッチ。
【請求項２】
上記周辺スイッチ押下部に形成された自由端側の上面に、前記エンコーダジョグ側に向かって突出した受圧突起を設け、前記エンコーダジョグの下面側に、前記受圧突起と当接する環状部を設けたことを特徴とする請求項１記載の複合操作型スイッチ。
【請求項３】
上記ロータリエンコーダの外面と上記ハウジングとの間に、前記ロータリエンコーダが所定量回転した位置でクリック感を付与し、かつ、回転後の位置を保持可能なディテント機構を設けたことを特徴とする請求項１または２記載の複合操作型スイッチ。
【発明の詳細な説明】
【技術分野】
【０００１】
本発明は、複合操作型スイッチに関し、特に、例えば情報端末機等の機器の入力部に使用され、中央スイッチと該中央スイッチを囲む円周上に配置される周辺スイッチとでなる多方向操作型スイッチとロータリエンコーダとを組み合わせて一体化してなる複合操作型スイッチに関するものである。
【背景技術】
【０００２】
従来、中央スイッチと該中央スイッチを囲む円周上に配置される周辺スイッチとでなる多方向操作型スイッチと回転スイッチ要素とを組み合わせてなる、複合操作型スイッチは知られている(例えば、特許文献１参照)。
【０００３】
特許文献１に記載の複合操作型スイッチは、傾倒押し込み操作部材を、上下左右の４方向の中のいずれか一方向に傾動操作すると、その傾動方向に応じて動作する４つの周辺スイッチと、該傾倒押し込み操作部材を押し込むと動作する中央スイッチと、該傾倒押し込み操作部材を回転させると、その回転に応じた信号を出力する回転スイッチとを備えた構造になっている。そして、回転スイッチはレバー型スイッチング機構を用い、また周辺スイッチ及び中央スイッチとは別体化されている。
【特許文献１】特開２００１−２４３８５４号公報。
【発明の開示】
【発明が解決しようとする課題】
【０００４】
特許文献１記載における複合操作型スイッチの回転スイッチは、周辺スイッチ及び中央スイッチと一体化されていない。すなわち、周辺スイッチ及び中央スイッチは、各々別個に製造されて、組立時の段階で互いに連動する関係にして組み込まれる構造になっている。したがって、スイッチ部品としては２つに分かれているので、取り扱い及び組み込み作業が面倒であるという問題点があった。
【０００５】
また、従来の複合操作型スイッチでは、多方向操作型のスイッチとロータリエンコーダとを組み合わせて一体化し、かつ、該ロータリエンコーダを回転操作しているエンコーダジョグを傾倒させると、ロータリエンコーダの回転位置に関わりなく、周辺スイッチを操作できるようにした構造は存在しなかった。
【０００６】
そこで、ロータリエンコーダを回転操作しているエンコーダジョグを傾倒させると、ロータリエンコーダの回転位置に関わりなく、何時でも周辺スイッチを操作できるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、多方向スイッチとロータリエンコーダとが一体化されてなる複合操作型スイッチであって、中央固定接点と、該中央固定接点を囲む円周上に配置された複数の周辺固定接点と、円周に沿って環状に配列された複数のエンコーダ用固定接点とを有するプリント配線板と、前記中央固定接点と共に中央スイッチを形成する中央可動接点と、前記周辺固定接点と共に周辺スイッチを形成する周辺可動接点と、
環状に形成され、その上面内周縁に突出形成された環状軸部と、該環状軸部の外側に環状に配列され、前記周辺可動接点を周辺固定接点に向かって押下可能な複数の周辺スイッチ押下部とを設けてなるハウジングと、
前記環状軸部の内周に回転可能に配設され、エンコーダ用固定接点と共にエンコーダスイッチを形成する摺動接点を有する環状のロータリエンコーダと、
前記環状軸部内に配置され、下面に中央可動接点に対向した周辺押圧突起が設けられているキートップと、
前記環状軸部の外側で周辺スイッチ押下部にそれぞれ対向配置された環状部を有し、ロータリエンコーダと一体回転可能に連結され、かつ、前記ハウジング上に対向配置されたエンコーダジョグとよりなり、
該エンコーダジョグを傾倒させると、傾倒側の周辺スイッチ押下部を押下し、該押下部と対応する周辺スイッチを操作できるようにした複合操作型スイッチを提供する。
【０００８】
この構成によれば、多方向操作スイッチとロータリエンコーダとが一体化されてなり、また、エンコーダジョグを回転させると、該エンコーダジョグと共にロータリエンコーダが回転操作される。さらに、エンコーダジョグを傾倒させると、ロータリエンコーダの回転位置に関わりなく、該エンコーダジョグが傾倒側の周辺スイッチ押下部を押下し、該周辺スイッチ押下部と対応している前記周辺スイッチを操作することができる。さらに、キートップを押すと、中央スイッチを操作することができる。
【０００９】
請求項２記載り発明は、請求項１において、上記周辺スイッチ押下部に形成された自由端側の上面に、前記エンコーダジョグ側に向かって突出した受圧突起を設け、前記エンコーダジョグの下面側に、前記受圧突起と当接する環状部を設けた複合操作型スイッチを提供する。
【００１０】
この構成によれば、周辺スイッチ押下部の受圧突起とエンコーダジョグ側の環状部との当接が、エンコーダジョグの傾倒動作を増幅して周辺スイッチ押下部に伝えることができる。これにより、エンコーダジョグの傾きが小さなものであっても、周辺スイッチを確実に操作することができる。
【００１１】
請求項３記載の発明は、請求項１または２において、上記ロータリエンコーダの外面と上記ハウジングとの間に、前記ロータリエンコーダが所定量回転した位置で係止するためのディテント機構を設けた複合操作型スイッチを提供する。
【００１２】
この構成によれば、ディテント機構を設けているので、ロータリエンコーダが所定量回転されると、その位置でクリック感が操作者の指等に伝わり、所定量回転されたことが分かる。したがって、クリック感が得られた位置でロータリエンコーダの回転を止めると、ロータリエンコーダの回転を常に同じ位置で停止させ、かつ、その位置を保持しておくことができる。
【発明の効果】
【００１３】
請求項１記載の発明は、多方向操作スイッチとロータリエンコーダとが一体化されて一つのスイッチ部品として構成されているので、取り扱い及び組み込み作業が簡単になる。また、部品の一部を各部で共用することができるので、部品点数の低減を図り、低コスト化が可能になるとともに、小型化も可能になる。さらに、ロータリエンコーダを回転操作しているエンコーダジョグを傾倒させると、ロータリエンコーダの回転位置に関わりなく、傾倒方向と対応する位置にある周辺スイッチを操作することができるので、操作性の向上が図れる。
【００１４】
請求項２記載の発明は、エンコーダジョグの傾きが小さなものであっても、周辺スイッチを確実に操作することができるので、請求項１に記載の発明の効果に加えて、操作性の向上が図れる。
【００１５】
請求項３記載の発明は、操作者は、クリック感が得られた位置でロータリエンコーダの回転を止めると、ロータリエンコーダを常に同じ位置で停止させ、かつ、保持しておくことができるので、請求項１の発明の効果に加えて、さらに操作性の向上と切り換え位置の信頼性が得られる。
【発明を実施するための最良の形態】
【００１６】
以下、本発明の複合操作型スイッチについて、好適な実施例をあげて説明する。ロータリエンコーダを回転操作しているエンコーダジョグを傾倒させると、ロータリエンコーダの回転位置に関わりなく、何時でも周辺スイッチを操作できるようにするという目的を達成するために、多方向スイッチとロータリエンコーダとが一体化されてなる複合操作型スイッチであって、ベースと、このベース上に配置したプリント配線板と、ベース上に固定してなるハウジングと、該ハウジングに回転可能に取り付けたロータリエンコーダと、該ロータリエンコーダの中央に配置されたキートップと、ロータリエンコーダと一体回転可能に連結結合されたエンコーダジョグ等を備え、下記の構成を有することにより達成した。
【００１７】
プリント配線板は、中央固定接点と、該中央固定接点を囲む円周上に配置された複数の周辺固定接点と、それら周辺固定接点が配置されている円周に沿って環状に配列された複数のエンコーダ用固定接点とを有する。
【００１８】
中央固定接点は、ドーム状中央可動接点と共に中央スイッチを形成し、周辺固定接点は、ドーム状周辺可動接点と共に周辺スイッチを形成する。
【００１９】
ハウジングは、環状に形成され、その上面内周縁から上方に向かって突出形成された環状軸部と、下面に該ドーム状周辺可動接点の中央を前記周辺固定接点に向かって押下可能な複数の周辺スイッチ押下部とを設けてなる。
【００２０】
ロータリエンコーダは、環状軸部の内周に回転可能に配設されているとともに、エンコーダ用固定接点と対向配置され、該対向するエンコーダ用固定接点と共にエンコーダスイッチを形成する摺動接点を有する。
【００２１】
キートップは、環状軸部内に位置して中央固定接点の上方に配置され、下面に該ドーム状中央可動接点に対向した周辺押圧突起が設けられている。
【００２２】
エンコーダジョグは、環状軸部の外側で周辺スイッチ押下部にそれぞれ対向配置された環状部と、該環状部の内周縁から前記ロータリエンコーダに向かって下方に突出し、該ロータリエンコーダと一体回転可能に連結結合された係止片とを有している。
【実施例】
【００２３】
図１は本発明の一実施例に係る複合操作型スイッチの外観を示した斜視図であり、図２はその複合操作型スイッチの一部を破断して内部構造を示している斜視図、図３はその複合操作型スイッチを分解して上方より見た斜視図、図４はその複合操作型スイッチを分解して下方より見た斜視図である。
【００２４】
図１〜図４において、複合操作型スイッチ１は、ベース２と、このベース２上に配置したフレキシブルプリント配線板３と、ベース２上に固定してなるハウジング４と、該ハウジング４に回転可能に取り付けたロータリエンコーダ５と、該ロータリエンコーダ５の中央に配置されたキートップ６と、ロータリエンコーダ５と一体回転可能に連結結合されたエンコーダジョグ７等により構成されている。
【００２５】
ベース２は、合成樹脂性の材料で概略円板状に形成されており、その板面にはハウジング４との結合時に使用される複数の取付孔８，８…が形成されている。
【００２６】
フレキシブルプリント配線基板３は、ベース２上に搭載配置される円形部９と、その円形部９から導出されたケーブル部１０とよりなる。図３及び図４に示すように、円形部９の中央には中央固定接点１１が形成され、その中央固定接点１１を囲む外側円周上には、スイッチ要素としてのエンコーダ用固定接点１２が形成されている。さらに、エンコーダ用固定接点１２を囲む外側円周上には、４個の周辺固定接点１３，１３…が９０°間隔で形成されている。また、円形部９には、ベース２の取付孔８，８…に対応して、位置決め孔１６，１６…が形成されている。
【００２７】
中央固定接点１１及び４個の周辺固定接点１３，１３…は、何れも同心状に形成された中心円形電極と環状電極とよりなり、エンコーダ用固定接点１２は、離間して同芯状に配列された複数の電極よりなる。なお、これら中央固定接点１１及び４個の周辺固定接点１３，１３，エンコーダ用固定接点１２から引き出されている引き出し線の詳細図示は省略している。
【００２８】
中央固定接点１１上には、クリック反転する反転接点を構成しているドーム状をしたスイッチ要素としての中央可動接点１４(以下、「ドーム状中央可動接点１４」という)が対向配置されて、中央スイッチが形成されている。周辺固定接点１３，１３…上には、同じくクリック反転する反転接点を構成しているドーム状をしたスイッチ要素としてのドーム状周辺可動接点１５，１５…（以下、「ドーム状周辺可動接点１５，１５…」という）がそれぞれ対向配置されて、４個の周辺スイッチが構成される。
【００２９】
ドーム状中央可動接点１４を押圧するキートップ６は、合成樹脂性の材料で短円柱状に形成されており、周面にはストッパー１７を設け、下面中心部には下向きに突出した中央押圧突起１８が形成されている。
【００３０】
ハウジング４は、合成樹脂性の材料で作られ、中央が開口されたドーナッツ状をした円板部１９と、該円板部１９の内周縁から上方に向かって環状に突出形成された環状軸部２０とを一体に有している。
【００３１】
円板部１９には、図５に示すように、環状軸部２０の外側周囲に、一端側を固定し他端側を自由にして環状に配列された４つの周辺スイッチ押下部２１，２１…が、所定の間隔で形成されている。一方、内側周縁には、エンコーダジョグ７の回転量を規制するための切欠部３６が、周方向に延ばされた状態にして形成されている。また、各周辺スイッチ押下部２１，２１の他端(自由端)側の下面にはドーム状周辺可動接点１５の中央を周辺固定接点１３に向かって押下可能な押圧突起２２が形成され、反対側の上面には受圧突起２３が形成されている。さらに、円板部１９の下面には、周辺スイッチ押下部２１，２１…から外れた位置に、ベース２の取付孔８，８…及びフレキシブルプリント配線板３の位置決め孔１６，１６…と対応して、下方に突出された突出ピン２４，２４…が形成されている。突出ピン２４，２４…は、フレキシブルプリント配線板３の位置決め孔１６，１６…を通ってベース２の取付孔８，８…に挿入され、接着若しくはカシメ等でベース２に固定される。
【００３２】
ロータリエンコーダ５は、合成樹脂性の材料で円筒状に作られている操作リング部材２５と、導電性の材料で作られている導電リング板２６等で構成されている。
【００３３】
操作リング部材２６の下部外周面には、回転時にクリック感を出す複数のディテント凹部２７，２７…を外周面に設けてなる歯車状部２８が形成されている。また、操作リング部材２６の下面には、環状軸部２９と、該環状軸部２９の外側周囲に、下方に突出された突出ピン３０，３０…が９０°間隔で形成されている。さらに、環状軸部２９の下端側には、該環状軸部２９の一部を切り欠いてなる４つの係止部３１，３１…が９０°間隔で形成されている。
【００３４】
導電リング板２６には、操作リング部材２６の突出ピン３０，３０…に対応して４つの位置決め孔３２，３２…が形成されているとともに、同じく操作リング部材２６の係止部３０，３０…に対応して、４つの係止爪部３３，３３…が９０°間隔で形成されている。
【００３５】
そして、導電リング板２６は、係止爪部３３，３３…を係止部３１，３１…に係合させるとともに、位置決め孔３２，３２…に突出ピン３０，３０を貫通させた状態にして操作リング部材２６の下面に当接配置される。また、このとき各突出ピン３０，３０…に、エンコーダ用摺動接点(図示せず)が導電リング板２６と接触させた状態にして取り付けられる。このエンコーダ用摺動接点は、フレキシブルプリント配線板３上のエンコーダ用固定接点１２と共にエンコーダスイッチを構成するものである。
【００３６】
このロータリエンコーダ５は、操作リング部材２６を、ハウジング４の下側から該ハウジング４の中央貫通部分に挿入すると、ディテント凹部２７を形成している歯車状部２８が環状軸部２０の下面に当接して位置決めされ、ハウジング４に対して回転可能に取り付けられる。また、ハウジング４の下面側には、ロータリエンコーダ５の歯車状部２８が配置される位置に対応してディテントバネ３４が取り付けられている。このディテントバネ３４は、弾性を有する細長い帯状板材を屈曲させて作られており、中央部分の突き出し先端部分３４ａが断面「く」の字状に形成されていて、その先端部分３４ａが環状軸部２０の切欠部を貫通して、左右方向より該環状軸部２０内に突出し、ロータリエンコーダ５の外周面に対して直角にバネ当接し、ディテント凹部２７内に落ち込み係合可能な状態でハウジング４に取り付けられている。そして、ロータリエンコーダ５が回転されるとき、該ロータリエンコーダ５が所定角度回転される毎に、先端部分３４ａがディテント凹部２７に落ち込み、操作者にクリック感が得られるようになっている。
【００３７】
エンコーダジョグ７は、合成樹脂性の材料で中央に開口孔を有する概略環状をしたキャップとして形成されている。下面側には、内周縁の位置から下方に突出された４つの係止片３７，３７…が９０°間隔で形成されている。また、各係止片３７，３７の先端には、ロータリエンコーダ５における操作リング部材２６の係止部３１に係合して、エンコーダジョグ７とロータリエンコーダ５とを一体化するための係止爪３７ａが形成されている。さらに、係止片３７，３７…の外側周囲には、ハウジング４における周辺スイッチ押下部２１，２１…上に対応するようにして、下面から下方に突出して環状部３８が形成されている。
【００３８】
次に、組立手順の一例を説明する。先ず、ベース２上にフレキシブルプリント配線板３を配置し、このフレキシブルプリント配線板３上にドーム状中央可動接点１４及びドーム状周辺可動接点１５，１５…をそれぞれ配置する。
【００３９】
次いで、キートップ６を、該ロータリエンコーダ５の中央の孔に、ロータリエンコーダ５の下側から挿入し、ストッパー１７を位置決め孔３２に係合させて取り付ける。続いて、キートップ６を取り付けたロータリエンコーダ５を、ハウジング４の中央の孔にハウジング４の下側から挿入するとともに、切欠部３６が設けられている部分において、エンコーダジョグ７の係止片３７，３７…をハウジングの上側から挿入し、該係止片３７，３７…の係止爪３７ａをロータリエンコーダ５の係止部３１に係合して抜け止めさせる。これにより、エンコーダジョグ７とロータリエンコーダ５とで、ハウジング４を上下方向より挟み、かつ、エンコーダジョグ７の環状部３８が周辺スイッチ押下部２１，２１…の各受圧突起２３に軽く当接された状態で、ハウジング４とエンコーダジョグ７とロータリエンコーダ５とが一体に組み立てられる。
【００４０】
続いて、ハウジング４の突出ピン２４を、位置決め孔３２を通って取付孔８に挿入させ、ベース２に固定すると組立が完了する。この状態では、ロータリエンコーダ５の摺動接点がエンコーダ用固定接点１２と対応すると共に、ハウジング４の周辺押圧突起１８，１８…の押圧突起２２がドーム状周辺可動接点１５上に軽く当接された状態で配置され、キートップ６の中央押圧突起１８が中央可動接点１５上に軽く当接された状態で配置される。図２は、その組立後の状態を示す。
【００４１】
次に、動作を説明する。この複合操作型スイッチ１では、エンコーダジョグ７を回転させると、切欠部３６の両端で係止片３７が規制される間、ロータリエンコーダ５が回転操作され、この回転操作でエンコーダスイッチが操作される。そして、ロータリエンコーダ５が回転操作されるとき、エンコーダジョグ７とハウジング４との間は滑り、周辺スイッチ押下部２１と周辺スイッチ（周辺固定接点１３及びドーム状周辺可動接点１５）との位置関係は保たれる。
【００４２】
続いて、この状態でエンコーダジョグ７を傾倒させると、環状部３８が傾倒側の周辺スイッチ押下部２１の受圧突起２３を押し、この押された周辺スイッチ押下部２１が押圧突起２２を介して、対応しているドーム状周辺可動接点１５を反転させ、この箇所の周辺スイッチを切り換える。また、押圧力を解くと、ドーム状周辺可動接点１５の戻り力で初期位置に戻される。
【００４３】
また、キートップ６を押下すると、中央押圧突起１８がドーム状中央可動接点１４を押し、該ドーム状中央可動接点１４を反転させて中央スイッチを切り換える。また、押圧力を解くと、ドーム状中央可動接点１４の戻り力で初期位置に戻される。
【００４４】
したがって、この実施例の構造による複合操作型スイッチ１によれば、多方向操作スイッチ(周辺スイッチ及び中央スイッチ)とロータリエンコーダ５のスイッチとが一体化されて一つのスイッチ部品として構成されているので、取り扱い及び組み込み作業が簡単になる。また、部品の一部を各部で共用することができるので、従来のスイッチに比べて部品点数の低減が図れ、低コスト化が可能になるとともに、小型化も可能になる。さらに、ロータリエンコーダ５を回転操作しているエンコーダジョグ７を傾倒させると、ロータリエンコーダ５の回転位置に関わりなく、傾倒方向と対応する位置にある周辺スイッチを操作することができるので、操作性の向上が図れることになる。
【００４５】
また、周辺スイッチ押下部２１における自由にした他端側の上面に、エンコーダジョグ７側に向かって突出した受圧突起２３を設けるとともに、エンコーダジョグ７の下面側に、受圧突起２３と当接する環状部３８を設けているので、周辺スイッチ押下部２１の受圧突起２３とエンコーダジョグ７側の環状部３８との当接が、エンコーダジョグ７の傾倒動作を増幅して周辺スイッチ押下部２１に伝えることができる。これにより、エンコーダジョグ７の傾きが小さなものであっても、周辺スイッチを確実に操作することができることになる。
【００４６】
さらに、ディテント機構を設けているので、操作者は、クリック感が得られた位置でロータリエンコーダ５の回転を止めると、ロータリエンコーダ５の回転を、常に同じ位置で停止させることができ、さらに操作性の向上と切り換え位置の信頼性が得られることになる。
【００４７】
なお、本発明は、本発明の精神を逸脱しない限り種々の改変を為すことができ、そして、本発明が該改変されたものに及ぶことは当然である。
【図面の簡単な説明】
【００４８】
【図１】本発明の一実施例に係る複合操作型スイッチの外観を示した斜視図。
【図２】同上複合操作型スイッチの一部を破断して内部構造を示した斜視図。
【図３】同上複合操作型スイッチを分解して上方より見た斜視図。
【図４】同上複合操作型スイッチを分解して下方より見た斜視図。
【図５】同上複合操作型スイッチにおけるハウジングの上面図。
【符号の説明】
【００４９】
１      複合操作型スイッチ
２      ベース
３      フレキシブルプリント配線板
４      ハウジング
５      ロータリエンコーダ
６      キートップ
７      エンコーダジョグ
８      取付孔
９      円形部
１０    ケーブル部
１１    中央固定接点
１２    エンコーダ用固定接点
１３     周辺固定接点
１４    ドーム状中央可動接点
１５    ドーム状周辺可動接点
１６    位置決め孔
１７    ストッパー
１８    中央押圧突起
１９    円板部
２０    環状軸部
２１    周辺スイッチ押下部
２２    押圧突起
２３    受圧突起
２４    突出ピン
２５    操作リング部材
２６    導電リング板
２７    ディテント凹部
２８    歯車状部
２９    環状軸部
３０    突出ピン
３１    係止部
３２    位置決め孔
３３    係止爪部
３４    ディテントバネ
３４ａ  先端部分
３６    切欠部
３７    係止片
３７ａ  係止爪
３８    環状部
【図１】
2007066635.tif 000003
【図２】
2007066635.tif 000004
【図３】
2007066635.tif 000005
【図４】
2007066635.tif 000006
【図５】
2007066635.tif 000007